(57)【要約】【課題】  大量の設定項目や難解な専門用語が存在するために、教育現場において、段階を追って機能を習得することが出来ないと言う、従来の印刷設定画面の欠点を改善する。【解決手段】  文字の存在しない、イメージを貼り付けた印刷設定項目を作成する手段、漢字を排除してひらがなで記述した印刷設定項目を作成する手段、専門用語を排除し、平易な言葉で記述した印刷設定項目を作成する手段、印刷設定項目に難易度をつける手段、表示する印刷設定項目を難易度別に決定する手段、ユーザのレベルを入力する手段、入力するレベルに従って難易度を決定する手段、決定した難易度に所属する印刷設定項目を表示する手段を有する構成とする。【選択図】  図１
2006350799.tif 000002
【特許請求の範囲】
【請求項１】
コンピュータに接続されたプリンタ装置と、そのコンピュータを司るオペレーティングシステム（以下、ＯＳ）からプリンタ装置を制御するためのソフトウエア（以下、ドライバ）において、印刷を行なう際に利用できる複数の機能をユーザから受付けるためのユーザインターフェース（以下、ＵＩ）で、ある１つの機能を利用するためのＵＩを複数作成する手段と、複数作成したＵＩをそれぞれレベル分けする手段と、ユーザがユーザ自身の言語レベルを入力するためのＵＩを表示し、ユーザのレベルを取得する手段と、ユーザにより印刷が命令されたか判断する手段と、印刷が命令されたときに、前にユーザによって入力された言語レベルのＵＩを表示する手段と、ユーザによりレベル変更が命令されたか判断する手段と、印刷実行を命令する手段と、ＵＩで入力された設定で印刷処理を実行する手段を有することを特徴とする年齢別ＵＩ表示装置。
【請求項２】
前記、印刷を行なう際に利用できる複数の機能をユーザから受付けるためのＵＩで、ある１つの機能を利用するためのＵＩを複数作成する手段において、作成するＵＩ中に文字がまったく存在しない、絵や記号を利用したＵＩを作成する手段と、作成するＵＩ中に漢字がまったく存在しない、ひらがな、またはカタカナを利用したＵＩを作成する手段と、作成するＵＩ中に専門用語がまったく存在しない、平易な言葉を利用したＵＩを表示する手段と、標準的なＵＩを表示するための手段を有することを特徴とする請求項１に記載の年齢別ＵＩ表示装置。
【請求項３】
さらに前記、印刷を行なう際に利用できる複数の機能をユーザから受付けるためのＵＩで、ある１つの機能を利用するためのＵＩを複数作成する手段において、作成したぞれぞれのＵＩに機能レベルを付加する手段と、ユーザが利用したい機能のレベルを入力するためのＵＩを表示し、ユーザの希望する機能レベルを取得するための手段と、印刷が命令されたときに、前にユーザによって入力された機能レベルのＵＩを表示する手段と有することを特徴とする請求項１又は、請求項２に記載の年齢別ＵＩ表示装置。
【請求項４】
また、前記、請求項１に記載のユーザが、ユーザ自身の言語レベルを入力するためのＵＩを表示する手段と、前記、請求項３に記載のユーザが利用したい機能レベルを入力するためのＵＩを表示する手段において、ユーザ自身の言語レベルとユーザが利用したい機能レベルを併せて取得するための手段と、印刷が命令されたとき、ユーザによって入力された言語レベルと機能レベルのＵＩを表示する手段を有することを特徴とする年齢別ＵＩ表示装置。
【請求項５】
前記、請求項１に記載の年齢別ＵＩ表示装置において、ユーザがユーザ自身の言語レベルを入力するためのＵＩを表示し、ユーザの言語レベルを取得するための手段において、ユーザのレベルのＵＩをプレビュー表示して、ＵＩのイメージをユーザに確認するための手段を有することを特徴とする年齢別ＵＩ表示装置。
【請求項６】
前記、請求項３に記載の年齢別ＵＩ表示装置において、ユーザが利用したい機能レベルを入力するためのＵＩを表示し、ユーザの希望する機能レベルを取得するための手段において、ユーザが利用したい機能レベルのＵＩをプレビュー表示して、ＵＩのイメージをユーザに確認するための手段を有することを特徴とする年齢別ＵＩ表示装置。
【請求項７】
前記、請求項４に記載の年齢別ＵＩ表示装置において、ユーザ自身の言語レベルとユーザが利用したい機能のレベルを併せて取得するための手段において、ユーザによって入力されたレベルと機能レベルのＵＩをプレビュー表示して、ＵＩのイメージをユーザに確認するための手段を有することを特徴とする年齢別ＵＩ表示装置。
【請求項８】
コンピュータに接続されたプリンタ装置と、そのコンピュータを司るＯＳからプリンタ装置を制御するためのドライバにおいて、印刷を行なう際に利用できる複数の機能をユーザから受付けるためのＵＩで、ある１つの機能を利用するためのＵＩを複数作成する工程と、複数作成したＵＩをそれぞれレベル分けする工程と、ユーザがユーザ自身の言語レベルを入力するためのＵＩを表示し、ユーザのレベルを取得するための工程と、ユーザにより印刷が命令されたか判断する工程と、印刷が命令されたときに、前にユーザによって入力された言語レベルのＵＩを表示する工程と、ユーザによりレベル変更が命令されたか判断する工程と、印刷実行を命令する工程と、ＵＩで入力された設定で印刷処理を実行する工程を有することを特徴とする年齢別ＵＩ表示方法をコンピュータで読み出し可能な形で記録した記録媒体。
【請求項９】
前記、印刷を行なう際に利用できる複数の機能をユーザから受付けるためのＵＩで、ある１つの機能を利用するためのＵＩを複数作成する手段において、作成するＵＩ中に文字がまったく存在しない、絵や記号を利用したＵＩを作成する手段と、作成するＵＩ中に漢字がまったく存在しない、ひらがな、またはカタカナを利用したＵＩを作成する手段と、作成するＵＩ中に専門用語がまったく存在しない、平易な言葉を利用したＵＩを表示する手段と、標準的なＵＩを表示するための手段を有することを特徴とする年齢別ＵＩ表示方法をコンピュータで読み出し可能な形で記録した請求項８に記載の記録媒体。
【請求項１０】
さらに前記、印刷を行なう際に利用できる複数の機能をユーザから受付けるためのＵＩで、ある１つの機能を利用するためのＵＩを複数作成する工程において、作成したぞれぞれのＵＩに機能レベルを付加する工程と、ユーザが利用したい機能のレベルを入力するためのＵＩを表示し、ユーザの希望する機能レベルを取得するための工程と、印刷が命令されたときに、前にユーザによって入力された機能レベルのＵＩを表示する工程と有することを特徴とする年齢別ＵＩ表示方法をコンピュータで読み出し可能な形で記録した請求項８又は、請求項９に記載の記録媒体。
【請求項１１】
また、前記、請求項８に記載のユーザがユーザ自身の言語レベルを入力するためのＵＩを表示する工程と、前記、請求項１０に記載のユーザが利用したい機能レベルを入力するためのＵＩを表示する工程において、ユーザ自身の言語レベルとユーザが利用したい機能レベルを併せて取得するための工程と、印刷が命令されたとき、ユーザによって入力された言語レベルと機能レベルのＵＩを表示する工程を有することを特徴とする年齢別ＵＩ表示方法をコンピュータで読み出し可能な形で記録した記録媒体。
【請求項１２】
前記、請求項８に記載の記録媒体において、ユーザがユーザ自身の言語レベルを入力するためのＵＩを表示し、ユーザの言語レベルを取得するための工程において、ユーザのレベルのＵＩをプレビュー表示して、ＵＩのイメージをユーザに確認するための工程を有することを特徴とする年齢別ＵＩ表示方法をコンピュータで読み出し可能な形で記録した記録媒体。
【請求項１３】
前記、請求項１０に記載の記録媒体において、ユーザが利用したい機能レベルを入力するためのＵＩを表示し、ユーザの希望する機能レベルを取得するための工程において、ユーザが利用したい機能レベルのＵＩをプレビュー表示して、ＵＩのイメージをユーザに確認するための工程を有することを特徴とする年齢別ＵＩ表示方法をコンピュータで読み出し可能な形で記録した記録媒体。
【請求項１４】
前記、請求項１１に記載の記録媒体において、ユーザ自身の言語レベルとユーザが利用したい機能のレベルを併せて取得するための工程において、ユーザによって入力されたレベルと機能レベルのＵＩをプレビュー表示して、ＵＩのイメージをユーザに確認するための工程を有することを特徴とする年齢別ＵＩ表示方法をコンピュータで読み出し可能な形で記録した記録媒体。
【発明の詳細な説明】
【技術分野】
【０００１】
本発明は、印刷設定方法に関して、パーソナルコンピュータなどの情報処理システムにおけるプリンタの印刷処理方法に関するものである。
【背景技術】
【０００２】
従来の印刷設定画面では、プリンタやプリンタドライバの多機能化に伴い、設定項目が数多く存在しており、それらを利用してユーザの望む出力結果を得ることができる。また近年のＩＴの急速な普及に伴い、低年齢向けの教育現場でも情報機器の扱い方を学ぶ授業が取り入れられている。
【０００３】
又、別の従来例としては、特許文献１及び特許文献２をあげることが出来る。
【特許文献１】特開平０８−３２９０６４号公報
【特許文献２】特開２００１−２９３９２５号公報
【発明の開示】
【発明が解決しようとする課題】
【０００４】
従来の印刷設定画面では、大量の設定項目や難解な専門用語が存在するために、教育現場において、段階を追って機能を習得することができず、またすべてを理解することができないために、印刷処理機能を十分に活用することができなかった。
【課題を解決するための手段】
【０００５】
本発明である年齢別ＵＩ表示方法および年齢別ＵＩ表示装置および記録媒体では、コンピュータに接続されたプリンタ装置と、そのコンピュータを司るＯＳからプリンタ装置を制御するためのドライバにおいて、印刷を行なう際に利用できる複数の機能をユーザから受付けるためのＵＩで、ある１つの機能を利用するためのＵＩを複数作成する手段と、複数作成したＵＩをそれぞれレベル分けする手段と、ユーザがユーザ自身のレベルを入力するためのＵＩを表示し、ユーザのレベルを取得するための手段と、ユーザにより印刷が命令されたか判断する手段と、印刷が命令されたときに、前にユーザによって入力されたレベルのＵＩを表示する手段と、ユーザによりレベル変更が命令されたか判断する手段と、印刷実行が命令されたか判断する手段と、ＵＩで入力された設定で印刷処理を実行する手段とを備える。
【０００６】
この発明による作用として、低年齢者でも容易に印刷処理を行なうことができ、さらにさまざまな教育現場において、段階を追って、印刷処理機能を習得することができる。
【発明の効果】
【０００７】
ユーザの印刷ミスを減少させて失敗コストを削減し、所望する出力結果を単純で必要最低限な操作によって、効率よく得ることができる。
【発明を実施するための最良の形態】
【０００８】
次に、本発明の詳細を実施例の記述に従って説明する。
【実施例１】
【０００９】
以下画面を参照して本発明に係る一実施例を詳細に説明する。
【００１０】
図１は本実施例の年齢別ＵＩ表示方法が適用される情報処理システムの構成の一例を示すブロック図である。
【００１１】
図１において、１は中央処理装置で、上記プログラムおよび関連データが記憶されているＦＤ，ＣＤ−ＲＯＭ，ＩＣメモリカード等の記憶媒体をシステムに接続された媒体読取装置６から読み込み、補助記憶装置３から主記憶装置２にロードされたシステムプログラム、アプリケーションプログラムによって、入力装置４から入力される情報を処理して、出力装置５やプリンタ７に出力する。なお、本実施例では、出力装置５はディスプレイなどの表示装置とし、本来出力装置に含まれるプリンタ７と区別する。また、入力装置４はキーボード、ポインティングデバイス等で構成されているものとする。さらに補助記憶装置３は、ハードディスク、光磁気ディスクで構成されるものであってもいいし、これらの組み合わせで構成されるものであってもよい。また、それぞれの装置がネットワークを介して接続されていようとも、この特許を制約するものではない。
【００１２】
図２は媒体読取装置記憶装置に格納されていた年齢別ＵＩ表示方法制御プログラムと関連するデータが中央処理演算装置に読み込まれ、入力装置から印刷命令が入力されて、プリンタへデータを送り印刷するまでの概念図をあらわす。アプリケーション、ドライバともＯＳの制御下で機能する。
【００１３】
図３は、文字がまったく存在しない、絵や記号を利用したＵＩの一例を表現したものである。この画面では、上段の２つのビットマップボタンで、カラー/モノクロ印刷の切替えと、中段の印刷枚数ボタンで印刷部数を、さらに下段のプリンタのビットマップボタンで印刷実行、×印のボタンで印刷キャンセルを視覚的、直感的に表したもので、文字が読めない幼児などにも理解しやすいものとなっている。
【００１４】
図４は、漢字がまったく存在しない、ひらがな、またはカタカナを利用したＵＩの一例を表現したものである。図３と比較して、印刷枚数を設定するＵＩがひらがなになっており、さらに両面印刷用のＵＩも追加されている。さらに印刷実行用と印刷キャンセル用のボタンをひらがなで表し、ひらがなが読めて、その内容が理解できる幼児用のＵＩとなっている。
【００１５】
図５は、図４の漢字がまったく存在しない、ひらがな、またはカタカナを利用したＵＩから機能レベルを下げたＵＩの一例を表現したものである。図５のＵＩと比較して、カラー/モノクロ印刷用のボタンが削除され、また、両面印刷用のＵＩも削除されて、印刷枚数のみが設定できるもので、初心者用のＵＩとなっている。
【００１６】
図６は、標準的なＵＩの一例を表現したものである。プリンタとドライバで利用可能な機能のＵＩがすべて盛り込まれており、ＵＩを詳細に設定することで、ユーザの希望する印刷結果を得ることができる。
【００１７】
図７は、この年齢別ＵＩ表示方法プログラムおよび関連データがＦＤを介してコンピュータにロードする状態を示している。このＦＤを媒体読取装置にセットすると、主記憶装置に読み込まれているＯＳおよび基本Ｉ／Ｏプログラムの制御の基に年齢別ＵＩ表示方法プログラムおよび関連データがＦＤから読み出され、主記憶装置にロードされたときに動作が可能となる。
【００１８】
図８は、年齢別ＵＩ表示方法制御プログラムがＦＤに格納されているメモリマップを示す。
【００１９】
図９は、ＦＤに格納されていた年齢別ＵＩ表示方法制御プログラムが、媒体読取装置を介して、補助記憶装置から主記憶装置にロードされたときのメモリマップを示す。
【００２０】
本実施例では、ＦＤから年齢別ＵＩ表示方法制御プログラムを直接、補助記憶装置を介して主記憶装置に読み込んで実行する例を示したが、本年齢別ＵＩ表示方法制御プログラムをＦＤなどの記憶媒体からＨＤなどの補助記憶装置にセーブしておき、実行するときに主記憶装置に読み込む形態をとってもよい。
【００２１】
また、本年齢別ＵＩ表示方法制御プログラムを記録する媒体は、ＦＤ、ＨＤ以外にも、光磁気ディスクやＣＤ−ＲＯＭ、ＩＣメモリカード等であってもよい。また、本年齢別ＵＩ表示方法制御プログラムをＲＯＭに記憶しておくことも可能である。
【００２２】
年齢別ＵＩ表示方法は図１０に示される画像処理方法のフローチャートに基づいてプログラム化されたものである。以下、図１０のフローチャートを参照しながら本発明に係る年齢別ＵＩ表示方法について説明する。
【００２３】
まず、図１-４の入力装置から命令が入力されると、図１-３の補助記憶装置から図１-１の主記憶装置上に読み込まれたＯＳ、ドライバやアプリケーション（図２）のうち、ＯＳがそのメッセージを受け取る。ＯＳは現在アクティブであるアプリケーションに印刷実行メッセージを送る。
【００２４】
アプリケーションは、そのメッセージをＯＳが認識できるコマンドに変換して印刷するデータやコマンドのメッセージを送る。ＯＳはドライバの認識できるコマンドに変換してメッセージを送る。
【００２５】
年齢別ＵＩを表示させるために、1機能を設定するためのＵＩを複数作成する（図１０-１）。複数のＵＩとは、文字がまったく存在しない、絵や記号を利用したＵＩ（図３）の作成（図１０-１-１）、漢字がまったく存在しない、ひらがな、またはカタカナを利用したＵＩ（図４）の作成（図１０-１-２）、専門用語がまったく存在しない、平易な言葉を利用したＵＩの作成（図１０-１-３）、標準的なＵＩ（図６）の作成（図１０-１-４）などがある。
【００２６】
そこで、作成した複数ＵＩに言語レベルと機能レベルを設定する（図１０-２）。さらにユーザに言語レベルと機能レベルを入力させて（図１０-３）、ユーザが入力した言語レベルと機能レベルに合致したＵＩをプレビュー表示して（図１０-４）、ユーザがＵＩの表示状態を確認できるようにする。
【００２７】
ユーザにより印刷が実行されると（図１０-５）、図１０-３で入力された言語レベルと機能レベルに合致したＵＩを表示する（図１０-６）。
【００２８】
また、ユーザによりレベル変更を実行されると（図１０-７）、プレビュー表示してユーザがＵＩの表示状態を確認できるようにする。
【００２９】
ユーザにより印刷が実行されると（図１０-８）、ＵＩに設定された値で印刷処理を実行し、終了する。
【図面の簡単な説明】
【００３０】
【図１】本実施例の年齢別ＵＩ表示方法が適用される情報処理システムの構成の一例を示すブロック図である。
【図２】年齢別ＵＩ表示方法制御プログラムと関連するデータが、媒体読取装置記憶装置に格納されていたデータが中央処理演算装置に読み込まれ、入力装置から印刷命令が入力されて、プリンタへデータを送り印刷するまでの概念図である。
【図３】文字がまったく存在しない、絵や記号を利用したＵＩの一例を表現したものである。
【図４】漢字がまったく存在しない、ひらがな、またはカタカナを利用したＵＩの一例を表現したものである。
【図５】図４の漢字がまったく存在しない、ひらがな、またはカタカナを利用したＵＩから機能レベルを下げたＵＩの一例を表現したものである。
【図６】標準的なＵＩの一例を表現したものである。プリンタとドライバで利用可能な機能のＵＩがすべて盛り込まれており、ＵＩを詳細に設定することで、ユーザの希望する印刷結果を得ることができる。
【図７】この年齢別ＵＩ表示方法制御プログラムおよび関連データがＦＤを介してコンピュータにロードする状態を示している。
【図８】本年齢別ＵＩ表示方法制御プログラムがＦＤに格納されているメモリマップを示す。
【図９】ＦＤに格納されていた年齢別ＵＩ表示方法制御プログラムが、媒体読取装置を介して、補助記憶装置から主記憶装置にロードされたときのメモリマップを示す。
【図１０】本発明に係る本年齢別ＵＩ表示方法の一実施例をあらわすフローチャートである。
【符号の説明】
【００３１】
１  中央処理装置
２  主記憶装置
３  補助記憶装置
４  入力装置
５  出力装置
６  媒体読取装置
７  プリンタ
８  ＲＯＭ
【図１】
2006350799.tif 000003
【図２】
2006350799.tif 000004
【図３】
2006350799.tif 000005
【図４】
2006350799.tif 000006
【図５】
2006350799.tif 000007
【図６】
2006350799.tif 000008
【図７】
2006350799.tif 000009
【図８】
2006350799.tif 000010
【図９】
2006350799.tif 000011
【図１０】
2006350799.tif 000012